(57)【特許請求の範囲】
【請求項１】
被調理物を入れる鍋と、前記鍋を加熱する加熱手段と、炊飯器の動作を制御する制御手段と、商用交流電源を直流電力に変換し、電力供給する直流電源と、前記商用交流電源からの電力供給が停止した際に少なくとも前記制御手段に電力供給するバックアップ手段と、前記バックアップ手段を充電できる充電手段と、を備え、
前記直流電源は、前記制御手段及び充電手段に電力供給し、
前記充電手段は、待機時及び予約待機時を除く動作モードにおいて前記バックアップ手段を充電する炊飯器。
【請求項２】
前記バックアップ手段の電圧を検知する電圧検知手段を、さらに備え、
前記充電手段は、前記バックアップ手段が所定の電圧を超えていれば、待機時及び予約待機時を除く動作モードにおいて前記バックアップ手段を充電し、
前記バックアップ手段が前記所定の電圧以下であれば、動作モードに関わらず前記バックアップ手段を充電するようにした請求項１に記載の炊飯器。
【発明の詳細な説明】
【技術分野】
【０００１】
本発明は商用交流電源からの電力供給が停止した場合に電力供給するバックアップ手段を備えた炊飯器に関するものである。
【背景技術】
【０００２】
従来、この種の炊飯器は鍋を加熱する加熱手段と、前記加熱手段を駆動する加熱駆動手段と、炊飯器の動作を制御するマイクロコンピュータと、商用交流電源を直流電圧に変換し少なくとも前記マイクロコンピュータに電力を供給する第１の電源手段と、前記第１の電源手段に接続され前記第１の電源手段からの電力を充電し、商用電源が無いときに少なくとも前記マイクロコンピュータに電力を供給する電圧保持手段とを備えている（例えば、特許文献１参照）。
【先行技術文献】
【特許文献】
【０００３】
【特許文献１】特開２００６−３２６１４２号公報
【発明の概要】
【発明が解決しようとする課題】
【０００４】
しかしながら、前記従来の構成では、電圧保持手段であるコンデンサは第１の電源手段の出力に接続されており、出力電圧が供給されている間、第１の電源手段からの電力を充電可能な構成であるので、待機時や予約待機時にも充電することがあり、このことにより待機時や予約待機時の消費電力を増加させるという課題を有していた。
【０００５】
本発明は、前記従来の課題を解決するもので、充電可能なバックアップ手段を備える炊飯器において、待機時や予約待機時など、特定の動作モードにおいてバックアップ手段への充電電流による消費電力の増加を抑制することを目的とする。
【課題を解決するための手段】
【０００６】
前記従来の課題を解決するために、本発明の炊飯器は、被調理物を入れる鍋と、前記鍋を加熱する加熱手段と、炊飯器の動作を制御する制御手段と、商用交流電源を直流電力に変換し、電力供給する直流電源と、前記商用交流電源からの電力供給が停止した際に少なくとも前記制御手段に電力供給するバックアップ手段と、前記バックアップ手段を充電できる充電手段と、を備え、前記直流電源は、前記制御手段及び充電手段に電力供給し、前記充電手段は、待機時及び予約待機時を除く動作モードにおいて前記バックアップ手段を充電するものである。
【０００７】
これによって、バックアップ手段に充電電流が流れることによる消費電力の増加を待機時及び予約待機時を除く動作モードのみとすることができる。
【発明の効果】
【０００８】
本発明の炊飯器は、バックアップ手段に充電電流が流れることによる消費電力の増加を待機時及び予約待機時を除く動作モードのみとすることができる。
【図面の簡単な説明】
【０００９】
【図１】本発明の実施の形態１における炊飯器の制御回路の主要部ブロック図
【図２】本発明の実施の形態１における炊飯器のバックアップ手段への充電動作を示すフローチャート
【図３】本発明の実施の形態２における炊飯器の制御回路の主要部ブロック図
【図４】本発明の実施の形態２における炊飯器のバックアップ手段への充電動作を示すフローチャート
【発明を実施するための形態】
【００１０】
第１の発明は、被調理物を入れる鍋と、前記鍋を加熱する加熱手段と、炊飯器の動作を制御する制御手段と、商用交流電源を直流電力に変換し、電力供給する直流電源と、前記商用交流電源からの電力供給が停止した際に少なくとも前記制御手段に電力供給するバックアップ手段と、前記バックアップ手段を充電できる充電手段と、を備え、前記直流電源は、前記制御手段及び充電手段に電力供給し、前記充電手段は、待機時及び予約待機時を除く動作モードにおいて前記バックアップ手段を充電することにより、バックアップ手段に充電電流が流れることによる消費電力の増加は待機時及び予約待機時を除く動作モードのみとなり、バックアップ手段に充電電流が流れることによる消費電力の増加を待機時及び予約待機時を除く動作モードのみとすることができる。
【００１１】
また、待機時と予約待機時を除く動作モードとすることにより、待機時と予約待機時においてバックアップ手段が充電されることがなくなり、待機時と予約待機時においてバックアップ手段に充電電流が流れることによる消費電力の増加をなくすことができる。
【００１２】
第２の発明は、特に、第１の発明において、バックアップ手段の電圧を検知する電圧検知手段を、さらに備え、前記充電手段は、前記バックアップ手段が所定の電圧を超えていれば、待機時及び予約待機時を除く動作モードにおいて前記バックアップ手段を充電し、前記バックアップ手段が前記所定の電圧以下であれば、動作モードに関わらず前記バックアップ手段を充電することにより、動作モードに関わらずバックアップ手段の電圧を所定の電圧以上とすることができるようになり、より信頼性の高いバックアップ手段を提供することができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における炊飯器の制御回路の主要部ブロック図を示すものである。
【００１５】
図１に示すように、被調理物を入れる鍋１と、鍋１を加熱する加熱手段２と、炊飯器の動作を制御する制御手段３と、商用交流電源４を直流電力に変換し少なくとも制御手段３に電力供給する直流電源５と、商用交流電源４からの電力供給が停止した際に少なくとも制御手段３に電力供給するバックアップ手段６と、所定の動作モードにおいてのみ直流電源５からの電力供給によりバックアップ手段６を充電できる充電手段７により構成されている。
【００１６】
以上のように構成された炊飯器について、以下その動作、作用を図２のフローチャートにより動作を説明する。
【００１７】
まず、制御手段３において、ステップ２０１で動作モードが待機モードであるかどうかを判断する。ここで動作モードが待機モードであればステップ２０４に進むが、待機モードでなければステップ２０２に進む。ステップ２０２では動作モードが予約待機モードであるかどうかを判断する。
【００１８】
ここで動作モードが予約待機モードであればステップ２０４に進み、予約待機モードでなければステップ２０３に進む。ステップ２０３では制御手段３内においてバックアップ手段充電許可フラグを立てた後、ステップ２０５へ進む。
【００１９】
ステップ２０４ではバックアップ手段充電許可フラグをおろした後、ステップ２０５へ進む。ステップ２０５ではバックアップ手段充電許可フラグに基づき制御手段３は充電手段７へ信号を出力する。バックアップ手段６は制御手段３が充電許可信号を出していない場合、充電手段７から充電されることはない。
【００２０】
以上のように、本実施の形態においては待機モードならびに予約待機モードにおいてのみ充電手段７を直流電源５からの電力供給によりバックアップ手段６を充電できないように構成したので、待機モードならびに予約待機モードにおいてバックアップ手段６への充電電流が流れることがなくなり、待機モードならびに予約待機モードにおいて充電電流による消費電力の増加を抑制することができる。
【００２１】
なお、本実施の形態ではバックアップ手段６への充電可能となる所定の動作モードを待機モードと予約待機モード以外としたが、特にこの限りでなくともよい。
【００２２】
（実施の形態２）
図３は、本発明の第２の実施の形態における炊飯器の制御回路の主要部ブロック図を示すものである。
【００２３】
図３において、電圧検知手段８はバックアップ手段６の電圧を検知するもので、検知したバックアップ手段６の電圧は制御手段３へ出力される。
【００２４】
以上のように構成された炊飯器について、以下その動作、作用を図４のフローチャートにより動作を説明する。
【００２５】
まず、制御手段３において、ステップ３０１で動作モードが待機モードであるかどうかを判断する。ここで動作モードが待機モードであればステップ３０３に進むが、待機モードでなければステップ３０２に進む。ステップ３０２では動作モードが予約待機モードであるかどうかを判断する。
【００２６】
ここで動作モードが予約待機モードであればステップ３０３に進み、予約待機モードでなければステップ３０５に進む。ステップ３０５ではバックアップ手段充電許可フラグを立てた後、ステップ３０６へ進む。
【００２７】
ステップ３０３では電圧検知手段８が検知したバックアップ手段６の電圧Ｖｏに応じて分岐する。すなわちＶｏが所定の電圧Ｖ１より低い場合にはステップ３０５に進み、Ｖｏが所定の電圧Ｖ１以上であればステップ３０４に進む。
【００２８】
ステップ３０５ではバックアップ手段充電許可フラグをおろした後、ステップ３０６へ進む。ステップ３０６ではバックアップ手段充電許可フラグに基づき制御手段は充電手段７へ信号を出力する。バックアップ手段６は制御手段３が充電許可信号を出していない場合、充電手段７から充電されることはない。
【００２９】
以上のように、本実施の形態においては待機モードならびに予約待機モードにおいてのみ充電手段７を直流電源５からの電力供給によりバックアップ手段６を充電できないように構成するとともに、バックアップ手段６が所定の電圧以下であれば動作モードに関わらずバックアップ手段６を充電できるように構成することにより、動作モードに関わらずバックアップ手段６の電圧を所定の電圧以上とすることができるようになり、より信頼性の高いバックアップ手段６を提供することができる。
【００３０】
なお、本実施の形態ではバックアップ手段６への充電可能となる所定の動作モードを待機モードと予約待機モード以外としたが、特にこの限りでなくともよい。
【産業上の利用可能性】
【００３１】
以上のように、本発明にかかる炊飯器は、バックアップ手段に充電電流が流れることによる消費電力の増加を所定の動作モードのみとすることが可能となるので、充電可能なバックアップ手段を備えた調理機器等の用途にも適用できる。
【符号の説明】
【００３２】
１  鍋
２  加熱手段
３  制御手段
４  商用交流電源
５  直流電源
６  バックアップ手段
７  充電手段
８  電圧検知手段
【図１】
0006043946.tif 000002
【図２】
0006043946.tif 000003
【図３】
0006043946.tif 000004
【図４】
0006043946.tif 000005